(57)【要約】      （修正有）【課題】侵入者にＵ字形部を押し当てると,力の強い侵入者の場合、U字形部の先端部を握られたり,棒部を握られて逆に刺股を相手に奪われてしまう欠点を解消する。【解決手段】棒部１００と棒部１００の先端に取付られたＵ字形部１０１とを備えてなる刺股状防護具１において、棒部１００とＵ字形部１０１とを分離し、棒部１００及びＵ字形部１０１にそれぞれコイルバネ１０２、線条物、筒状部材を周設してなると共に座金及び／又はばね部材よりなるバッファ装置を介在させて棒部１００とＵ字形部１０１とを締結具１０４により結合してなる刺股状防護具刺股状防護具１。【選択図】図１
2005291513.tif 000002
【特許請求の範囲】
【請求項１】
棒部とＵ字形部とを備えてなる刺股状防護具において、当該棒部とＵ字形部とを分離し、当該棒部及びＵ字形部にそれぞれコイルバネ、線条物又は筒状部材を周設してなると共に、座金及び／又はばね部材よりなるバッファ装置を介在させて当該棒部とＵ字形部とを締結具により結合してなることを特徴とする刺股状防護具。
【請求項２】
バッファ装置が、平座金とばね座金とばね座金と板ばねとの組合わせからなることを特徴とする、請求項１に記載の刺股状防護具。
【発明の詳細な説明】
【技術分野】
【０００１】
本発明は、刺股（さすまた）状防護具に関し、特に、建物などへの侵入者への防御具として使用できる刺股状防護具に関するものである。
【背景技術】
【０００２】
刺股（さすまた）は、江戸時代、乱暴者や犯罪人を捕縛するための武器の一種として使用されており、一般に、かしの棒の先端にＵ字形の金具をつけたものである。
その長さは、例えば、約２ｍ程あり、その用法の一例は、当該刺股を用いて相手のむこうずねを突き、相手をねじ倒し、首を押さえて縄を掛け、乱暴者や犯罪人を捕縛していた。
当該刺股は、今日でも、交番等に置かれている。
当該刺股の一例を、図９に示す。当該刺股９００は、棒（柄）９０１とＵ字形部９０２とからなっている。
近時、学校や建物等への不法侵入事件が多発しており、当該刺股は、侵入者に対する防御具として現在でも立派に役立つものであるが、上記のような従来例では、力の強い侵入者の場合、例えば、腰に刺股の前記Ｕ字形部９０２を押当ると、当該Ｕ字形部９０２の先端部を握られたり、或いは、棒部（柄部）９０１を握られて、逆に、刺股を相手に奪われてしまうことがあるという欠点があった。
【発明の開示】
【発明が解決しようとする課題】
【０００３】
本発明は、上記従来技術の有する欠点を解消した新規の技術を提供することを目的としたものである。
本発明の他の目的や新規な特徴については本件明細書及び図面の記載からも明らかになるであろう。
【課題を解決するための手段】
【０００４】
本発明の特許請求の範囲は、次の通りである。
（請求項１）棒部とＵ字形部とを備えてなる刺股状防護具において、当該棒部とＵ字形部とを分離し、当該棒部及びＵ字形部にそれぞれコイルバネ、線条物又は筒状部材を周設してなると共に、座金及び／又はばね部材よりなるバッファ装置を介在させて当該棒部とＵ字形部とを締結具により結合してなることを特徴とする刺股状防護具。
（請求項２）バッファ装置が、平座金とばね座金とばね座金と板ばねとの組合わせからなることを特徴とする、請求項１に記載の刺股状防護具。
【発明の効果】
【０００５】
本発明によれば、棒部やＵ字形部に、コイルバネ、線条物又は筒状部材が周設されているので、当該刺股状防護具を使用したときに、例えば、学校への侵入者が、当該刺股状防護具のＵ字形部や棒部を掴んで例えば当該刺股状防護具を外そうとしたり或いは逆に奪おうとしても、当該コイルバネ、線条物又は筒状部材が回転したり摺動したり又は滑動してしまうので、力が入らず、当該刺股状防護具を外したり或いは奪うことが不可能になる。特に、コイルバネは、侵入者が、当該刺股状防護具のＵ字形部や棒部を掴んだときに、バネが伸びて、力が入らず、又は、バネが寄ってきてバネに指が挟まって痛くなり、空転し、当該刺股状防護具を外したり或いは奪うことが不可能になる。
又、本発明によれば、当該棒部とＵ字形部とを分離し、当該棒部とＵ字形部とを、座金及び／又はばね部材よりなるバッファ装置を介して、締結具により結合してなるので、侵入者が、当該刺股状防護具のＵ字形部を掴み強い力で捻ると、当該Ｕ字形部の中央部を中心として円を描くような動きを侵入者に与えることができるが、一方、当該刺股状防護具の使用者が持っている棒部（柄部）には、その捻じ奪おうとする力が伝達されないので、侵入者に対して当該刺股状防護具を押しつけるだけで刺股状防護具を有効に使用することが出来、当該刺股状防護具の取扱に不慣れな者や力のない女・子供・老人でも有効に使用でき、又、侵入者が当該刺股状防護具のＵ字形部を掴み強い力で押し返そうとしても、座金及び／又はばね部材よりなるバッファ装置の存在により、使用者側に押し返すことが困難となる。
【発明を実施するための最良の形態】
【０００６】
図１に示すように、刺股状防護具１は、棒部（柄部）１００とＵ字形部１０１とを備えてなると共に、棒部１００やＵ字形部１０１に、コイルバネ１０２が各々取り付けられている。
当該コイルバネ１０２は、例えば、図１に示すようなねじりコイルバネ、図６（Ｆ）に示すような引張コイルバネ１０２の他、圧縮コイルバネ等も包含する。
当該Ｕ字形部１０１における当該コイルバネ１０２は、例えば、図１に示すように、当該Ｕ字形部１０１の先端部から縁部に掛けて装着されている。当該Ｕ字形部１０１におけるコイルバネ１０２は、当該Ｕ字形部１０１の径よりもやや大きく構成され、例えば、侵入者が当該Ｕ字形部１０１におけるコイルバネ１０２を掴むと、回転したり摺動したり又は滑動して、力が入らず、当該刺股状防護具１を外したり或いは奪うことが不可能になるように装着されている。コイルバネ１０２は、侵入者が、当該刺股状防護具１のＵ字形部１０１や棒部１００を掴んだときに、バネが伸びて、力が入らず、又は、バネが寄ってきてバネに指が挟まって痛くなり、空転し、当該刺股状防護具１を外したり或いは奪うことが不可能になる。
当該Ｕ字形部１０１におけるコイルバネ１０２は、当該Ｕ字形部１０１の開口部の両側に各々配設することができる。
当該棒部１００におけるコイルバネ１０２も同様の機能を果たすことができる。当該棒部１００におけるコイルバネ１０２は、適宜の長さとすることができる。
尚、当該図１では、便宜上、Ｕ字形部１０１の先端部のコイルバネ１０２は省略されているが、後の図２に示すように、当該Ｕ字形部１０１の先端部にはコイルバネ１０２を配設することが好ましい。
同様に、当該棒部１００でも、その先端部付近には、コイルバネ１０２を、便宜上、省略しているが、当該先端部にも、コイルバネ１０２を配設することが好ましい。
【０００７】
当該刺股状防護具１における棒部（柄部）１００とＵ字形部１０１とは、分離しておく。
図２に示すように、棒部１００の先端部に、当該Ｕ字形部１０１と結合する為の結合部（ジョイント部）１０３を取り付ける。当該ジョイント部１０３は、図２に示すように、例えば、当該棒部１００よりも径の大きな鋼管部１０３０を備えてなり、当該ジョイント部１０３の鋼管部１０３０に、図示のように、螺子、ボルトなどの締結具１０３１等で当該棒部１００に取り付けることができる。溶接などで取り付けてもよい。
当該Ｕ字形部１０１に、分離された棒部（柄部）１００との間を結合することができる締結具１０４を挿着する為の穴図示省略）を開設する。
当該棒部１００における当該ジョイント部１０３のヘッド部１０３２にも、分離されたＵ字形部１０１との間を結合することができる締結具１０４を挿着する為の穴（図示省略）を開設する。
当該分離された棒部（柄部）１００とＵ字形部１０１とを結合することができる締結具１０４としては、例えば、ボルトとナットとの組み合わせなどの例が挙げられる。
図２に示すように、当該締結具１０４のボルト１０４０をＵ字形部１０１に挿通し、又、棒部１００における当該ジョイント部１０３のヘッド部１０３２にも挿通し、当該ボルト１０４０の端部に、ナット１０４１、ワッシャー１０４２及びナット１０４３を装着して、分離された棒部（柄部）１００とＵ字形部１０１とを結合（締結）する。
当該分離された棒部（柄部）１００とＵ字形部１０１とを結合する際に、図２に示すように、当該Ｕ字形部１０１の片側に、バッファ装置１０５の座金１０５０とばね座金１０５１を、ボルト１０４０の頭部と当該Ｕ字形部１０１との間に介在させ、又、図示のように、ジョイント部１０３のヘッド部１０３２と当該Ｕ字形部１０１との間に、ばね座金１０５２を介在させ、更に、当該ジョイント部１０３の外部の前記ナット１０４１、ワッシャー１０４２及びナット１０４３の存在位置に板ばね１０５３を設ける。
当該ボルト１０４の端部は、割ピン１０４にて、当該棒部１００に固定することが出来る。
図２に示すように、当該Ｕ字形部１０１にはコイルバネ１０２を配設することが好ましい。又、図示が省略されているが、当該棒部１００における当該ジョイント部１０３等にも、コイルバネ１０２を配設することが好ましい。
【０００８】
図３は、本発明の他の実施例を示し、図示のように、棒部１００の先端部に、Ｕ字形部１０１と結合する為のジョイント部１０３を、螺子、ボルトなどの締結具１０３１等で取り付け、又、当該ジョイント部１０３の内部にナット部１０３３を溶接により取り付ける。当該締結具１０３１の端部は、図示のように、カシメにより締結することが好ましい。
図３に示すように、当該分離された棒部（柄部）１００とＵ字形部１０１とを結合する為の締結具１０４のボルト１０４０をＵ字形部１０１に挿通し、又、棒部１００における当該ジョイント部１０３のヘッド部１０３２にも挿通し、分離された棒部（柄部）１００とＵ字形部１０１とを結合（締結）する。
当該分離された棒部（柄部）１００とＵ字形部１０１とを結合する際に、図３に示すように、当該Ｕ字形部１０１の片側に、バッファ装置１０５の座金１０５０とばね座金１０５１を、ボルト１０４１の頭部と当該Ｕ字形部１０１との間に介在させ、又、図示のように、ジョイント部１０３のヘッド部１０３２と当該Ｕ字形部１０１との間に、ばね座金１０５２を介在させる。
又、当該ボルト１０４１の端部は、割ピン１０４４にて当該棒部１００に固定することが出来る。
【０００９】
図４（Ａ）及び（Ｂ）に示すように、当該ボルト１０４１の端部を、割ピン１０４４にて当該棒部１００に固定するのに、補強板１０４５を設け、当該補強板１０４５にボルト穴を設けてボルト１０４１を挿通し、当該ボルト１０４１に割ピン１０９を装着する。
【００１０】
図１に示すように、刺股状防護具１の棒部１００には、鍔部（ストッパー）２を設けることが好ましい。
図５は、図１に示す刺股状防護具１において、棒部（柄部）１００におけるコイルバネ１０２の端部近傍に、当該コイルバネ１０２の鍔部（ストッパー）２を設けてなる実施例を示す。当該鍔部２は、当該棒部（柄部）１００におけるコイルバネ１０２の抜け等を防止することができる。
当該鍔部２は、例えば鋼板よりなる鍔本体部２０と例えば鋼管よりなる取付部２１とを備えてなり、図５及び図３に示すように、その取付部２１をボルト及びナット２２により棒部１００に取り付けることができる。
【００１１】
図１に示すように、棒部（柄部）１００には、当該刺股状防護具１の操作を容易にする或いは滑止めなどの観点から、例えば、ゴム製のグリップ部３を取り付けるとよい。
【００１２】
本発明において使用されるバッファ装置１０５における座金１０５０としては、例えば、図６（Ａ）に示すような平座金（ワッシャー）１０５０が例として挙げられる。
座金１０５０には、図６（Ｂ）及び（Ｃ）に示すようなばね座金１０５１を包含することができる。
本発明において使用されるバッファ装置１０５におけるばね部材としては、例えば、板ばね１０５３を例として挙げることができる。ばね部材には、図６（Ｂ）に示すようなばね座金１０５１を包含することができる。
図６（Ｄ）及び（Ｅ）に示すような「さらばね座金」１０５４を使用することができ、当該「さらばね座金」１０５４は、ばね座金と平座金との両方機能を充足することができる。
本発明におけるバッファ装置１０５としては、座金単独でも、又、ばね部材単独でも良いが、両者を組み合わせた形態が、本発明の目的達成の上からは、望ましい。
バッファ装置１０５を、棒部１００とＵ字形部１０１との間に全て介在させてもよいが、前記実施例に示すように、当該棒部１００とＵ字形部１０１とに分けて設置するのがその有効な機能を果たす上で望ましい。
【００１３】
本発明における刺股状防護具１においては、図７に示すように、Ｕ字形部１０１の上端部にコイルバネ１０２の脱れ防止などから、金属管からなる止着部４を設けるとよい。
【００１４】
本発明では、図８（Ａ）に示すように、Ｕ字形部１０１には、前記実施例と同様にコイルバネ１０２を取付け、他方、棒部１００には、図８（Ｂ）に示すような筒状部材５を取付けてもよい。
当該筒状部材５は、例えば、軟質の合成樹脂製のチューブ又はパイプから構成されている。又、当該筒状部材５は、当該棒部１００の径よりも大きく構成されている。
当該棒部１００における当該筒状部材５は、図示のように、当該棒部１００の中途からＵ字形部１０１の縁に掛けて装着されている。当該筒状部材５は、当該棒部１００の径よりもやや大きく構成され、例えば、侵入者が当該棒部１００における当該筒状部材５を掴むと、回転したり摺動したり又は滑動して、力が入らず、当該刺股状防護具を外したり或いは奪うことが不可能になるように装着されている。
【００１５】
上記実施例では、コイルバネ１０２を使用する例を示したが、当該コイルバネ１０２に代えて、コイル、ワイヤー、帯状物、紐、繊条等の線条物６を、Ｕ字形部１０１に、回転可能、摺動可能又は滑動可能に周設してもよい。
図６（Ｇ）には、テープのような帯状物６を、Ｕ字形部１０１に周設してなる例を示す。
【００１６】
本発明による刺股状防護具１は、図１に示すように、侵入者が、Ｕ字形部１０１を強い力で捻ると、締結具１０４位置（棒部１００中心位置）を中心（軸）として当該Ｕ字形部１０１が円を描くように回転（動く）するが、力を抜くと、適宜位置で静止するので、目的の所に、当該刺股状防護具１のＵ字形部１０１を押し当てることが可能となる。
【００１７】
本発明では、適宜変更が可能であり、例えば、前記実施例では、金属管５を用いてコイルバネ１０２の端部を固定する例を示したが、例えば、止めネジ、接着剤を用いるなどの他の方法で固定してもよい。
棒部１００は鋼管で示したが、棒のような中空でないものでもよいことは勿論である。
本発明の刺股状防護具における棒部１００とＵ字形部１０１とは、同じ材質の材料からなっていてもいてもよいし又異なった材質の材料からなっていてもよい。
【産業上の利用可能性】
【００１８】
本発明は、刺股その他の各種の防護具として利用できる。
【図面の簡単な説明】
【００１９】
【図１】本発明の実施例を示す構成図である。
【図２】本発明の実施例を示す要部断面図である。
【図３】本発明の他の実施例を示す構成図である。
【図４】（Ａ）本発明の他の実施例を示す要部断面図、（Ｂ）同平面図である。
【図５】（Ａ）本発明の他の実施例を示す要部断面図、（Ｂ）同平面図である。
【図６】（Ａ）〜（Ｅ）本発明に使用されるバッファ装置の説明図、（Ｆ）本発明に使用されるコイルバネの他の説明図、（Ｇ）本発明に使用される線条物の一例説明図である。
【図７】本発明の他の実施例を示す止着部を取付けた構成図である。
【図８】（Ａ）本発明の更に他の実施例を示す筒状部材を取付けた構成図、（Ｂ）同筒状部材の説明図である。
【図９】従来例を示す構成図である。
【符号の説明】
【００２０】
１    刺股状防護具
５    筒状部材
１００    棒部（柄部）
１０１    Ｕ字形部
１０２    コイルバネ
１０４    締結具
１０５    バッファ装置
１０５０  平座金
１０５１  ばね座金
１０５２  ばね座金
１０５３  板ばね
１０５５  線条物
【図１】
2005291513.tif 000003
【図２】
2005291513.tif 000004
【図３】
2005291513.tif 000005
【図４】
2005291513.tif 000006
【図５】
2005291513.tif 000007
【図６】
2005291513.tif 000008
【図７】
2005291513.tif 000009
【図８】
2005291513.tif 000010
【図９】
2005291513.tif 000011